(57)【要約】【課題】ボトルなどの立体物を収納するのに適した有底筒状の収納部をベースシートの前面に形成できるようにするとともに、収納部をベースシート側にコンパクトに格納できるようにする。【解決手段】ポケット構造の収納部４は、ベースシート２と、背面シート部材２０と、正面シート部材１２と、折り畳み自在な側面シート部材１６，１８と、正面シート部材の下端辺に延長して形成された底面シート部材２４とで構成される。正面シート部材と底面シート部材の両側部はスライドファスナー２６，２８によりベースシートに脱着可能に結合する。背面シート部材はスライド保持部材４０によりベースシート側に上下動自在に保持される。収納部を使用しないときは収納部は折り畳まれて、ベースシート側に平行に近接して配置され、使用時、正面シート部材が前方に突出可能となり、正面シート部材が前方に突出すると底面シート部材が収納部の下端開口部を塞ぐ方向に屈曲する。【選択図】図１
0003119343.tif 000002
【実用新案登録請求の範囲】
【請求項１】
カバン等の収納体やズボン等の衣類等の物品の所望箇所に折り畳み自在な収納部を形成するためのポケット構造であって、ベースシート２と、その正面に配置された四角形状の背面シート部材２０と、前記背面シート部材２０と略同形に形成され該背面シート部材２０に対向配置された正面シート部材１２と、該正面シート部材１２の両側部と前記背面シート部材２０の両側部とを結合する折り畳み自在な側面シート部材１６，１８と、前記正面シート部材１２の下辺に一体的に延長して形成され一辺が前記ベースシート２の正面側に接続された底面シート部材２４と、前記正面シート部材１２と前記底面シート部材２４の両側部を前記ベースシート２に脱着可能に結合する留め具と、前記背面シート部材２０を前記ベースシート２側に上下動自在に保持するスライド保持部材４０とを備え、前記背面シート部材２０、正面シート部材１２及び左右の側面シート部材１６，１８とで折り畳み自在な筒状の収納部４を形成し、前記正面シート部材１２と底面シート部材２４の両側が前記留め具により前記ベースシート２側に結合しているときは、前記正面シート部材１２と底面シート部材２４はベースシート２側に平行に近接して配置され、前記正面シート部材１２と底面シート部材２４の両側が前記ベースシート２との結合から解放されると前記正面シート部材１２が前方に突出可能となるとともに前記収納部４が下方向に移動可能となり、該収納部４が方向に移動すると、前記底面シート部材２４が該収納部４の下端開口部を塞ぐ方向に屈曲するようにしたことを特徴とするポケット構造。
【請求項２】
前記ベースシート２を、前記カバンやズボン等のポケットを形成するための物品とは別体のシート材により構成し、該ベースシート２を前記物品の所望の箇所に固着できるようにしたことを特徴とする請求項１に記載のポケット構造。
【請求項３】
前記ベースシート２を、前記カバンやズボン等のポケットを形成するための物品の構成部分で構成したことを特徴とする請求項１に記載のポケット構造。
【請求項４】
前記側面シート部材１６，１８に、内方向に折り畳み自在とするための折曲部１４を形成したことを特徴とする請求項１に記載のポケット構造。
【請求項５】
前記スライド保持部材４０を、中間部が、前記収納部４内に挿入配置され、上端部が、前記背面シート部材２０の上方近傍に位置して前記ベースシート２側に接続され、下端部が、前記ベースシート２側に接続されたベルト体により構成したことを特徴とする請求項１に記載のポケット構造。
【請求項６】
前記留め具を、一対のテープにそれぞれ固設された噛み合い歯３０，３２と、該噛み合い歯３０，３２の噛み合いとその解除を行うためのスライダー３４とを有するスライドファスナー２６，２８により構成したことを特徴とする請求項１に記載のポケット構造。
【請求項７】
前記正面シート部材１２と底面シート部材２４の左右に配置されるスライドファスナー２６，２８の前記スライダー３４の操作を片手にて同時に行うために、左右のスライダー３４に結合する把手部材を設けたことを特徴とする請求項６に記載のポケット構造。
【請求項８】
前記正面シート部材１２が、前記背面シート部材２０の前記スライド保持部材４０に沿った下方向の移動と連動して下方向に移動したとき、前記底面シート部材２４が前記正面シート部材１２に対して直角方向に屈曲されるように、前記正面シート部材１２と前記底面シート部材２４との境界部に折曲部２２を形成したことを特徴とする請求項１に記載のポケット構造。
【請求項９】
正面シート部材１２上方部内面とスライド保持部材４０の上方部のベースシート２には面状ファスナ等の互いに係合離脱自在の係合部材４４，４６を取付けたことを特徴とする請求項１に記載のポケット構造。
【請求項１０】
正面シート部材１２上方部内面の係合部材上方には把持部材４８を突設したことを特徴とする請求項９に記載のポケット構造。
【考案の詳細な説明】
【技術分野】
【０００１】
本考案は、カバン等の収納体やズボン等の衣類等の物品の所望箇所に折り畳み自在な収納部を形成するためのポケット構造に関する。
【背景技術】
【０００２】
従来、カバンや自動車のシートバックや被服にポケットを形成するためのポケット構造に関して、各種の構造のものが知られている（例えば特許文献１〜３参照）。
【特許文献１】実用新案登録第３０３００５４号公報
【特許文献２】特開２００３−１２７７８４号公報
【特許文献３】特開平８−１７６９１３号公報
【考案の開示】
【考案が解決しようとする課題】
【０００３】
カバン等の収納体やズボン等の衣類に飲料ボトルなどのかさばった物を入れるポケットを設ける場合には、広い開口部を有する有底の筒状の収納部が適している。また、この収納部は使用しないときはできるだけコンパクトに格納できることが望ましい。これらの要望に対して、従来のポケット構造はいずれも不十分であり、現状では満足すべきものは提供されていない。
【０００４】
したがって従来の如くカバン等の収納体に書類とともに飲料ボトルを入れて携行する時は飲料ボトルの結露が書類をぬらしてしまったりして不慮の事態を生ずるおそれがある。そして何よりも収納効率よくしかも整然とした収納状態を企図することが不可能である。
同様にズボン等の衣類あるいはスキーウェア等のスポーツウェアのポケットに飲料ボトルを入れて携行せんとしても、従前の径及び構造のポケットでは収納し携行することは不可能であるとともに、無理矢理収納したとしてもポケットが不必要にふくらみファッション性を損なう等外観上好ましくないとともに、ポケットから脱落してしまうおそれも充分にある。
【０００５】
このような現状から、物品を収納しない時には極めてコンパクト化することができ、必要に応じて物品を収納した時には充分なスペースで安全かつ確実に収納することができ、また物品の収納時及び取出し時に極めてスピーディーかつ容易に収納部の形成及び収納部のコンパクト化を図ることのできるポケット構造の出現が待たれた。
【０００６】
本考案は上記需用者の要望に十分対応できるスペース上及びコンパクト化の問題を解決したポケット構造を提供することを目的とするものである。
【課題を解決するための手段】
【０００７】
上記目的を達成するため、本考案のポケットは、カバン等の収納体やズボン等の衣類等の物品の所望箇所に折り畳み自在な収納部を形成するためのポケット構造であって、ベースシート２と、その正面に配置された四角形状の背面シート部材２０と、前記背面シート部材２０と略同形に形成され該背面シート部材２０に対向配置された正面シート部材１２と、該正面シート部材１２の両側部と前記背面シート部材２０の両側部とを結合する折り畳み自在な側面シート部材１６，１８と、前記正面シート部材１２の下辺に一体的に延長して形成され一辺が前記ベースシート２の正面側に接続された底面シート部材２４と、前記正面シート部材１２と前記底面シート部材２４の両側部を前記ベースシート２に脱着可能に結合する留め具と、前記背面シート部材２０を前記ベースシート２側に上下動自在に保持するスライド保持部材４０とを備え、前記背面シート部材２０、正面シート部材１２及び左右の側面シート部材１６，１８とで折り畳み自在な筒状の収納部４を形成し、前記正面シート部材１２と底面シート部材２４の両側が前記留め具により前記ベースシート２側に結合しているときは、前記正面シート部材１２と底面シート部材２４はベースシート２側に平行に近接して配置され、前記正面シート部材１２と底面シート部材２４の両側が前記ベースシート２との結合から解放されると前記正面シート部材１２が前方に突出可能となるとともに前記収納部４が下方向に移動可能となり、該収納部４が方向に移動すると、前記底面シート部材２４が該収納部４の下端開口部を塞ぐ方向に屈曲するようにしたことを特徴とする。
【０００８】
また、前記ベースシート２を、前記カバンやズボン等のポケットを形成するための物品とは別体のシート材により構成し、該ベースシート２を前記物品の所望の箇所に固着できるようにしたことを特徴とする。
【０００９】
また、前記ベースシート２を、前記カバンやズボン等のポケットを形成するための物品の構成部分で構成したことを特徴とする請求項１に記載のポケット構造。
【００１０】
また、前記側面シート部材１６，１８に、内方向に折り畳み自在とするための折曲部１４を形成したことを特徴とする。
【００１１】
また、前記スライド保持部材４０を、中間部が、前記収納部４内に挿入配置され、上端部が、前記背面シート部材２０の上方近傍に位置して前記ベースシート２側に接続され、下端部が、前記ベースシート２側に接続されたベルト体により構成したことを特徴とする。
【００１２】
また、前記留め具を、一対のテープにそれぞれ固設された噛み合い歯３０，３２と、該噛み合い歯３０，３２の噛み合いとその解除を行うためのスライダー３４とを有するスライドファスナー２６，２８により構成したことを特徴とする。
【００１３】
また、前記正面シート部材１２と底面シート部材２４の左右に配置されるスライドファスナー２６，２８の前記スライダー３４の操作を片手にて同時に行うために、左右のスライダー３４に結合する把手部材を設けたことを特徴とする。
【００１４】
また、前記正面シート部材１２が、前記背面シート部材２０の前記スライド保持部材４０に沿った下方向の移動と連動して下方向に移動したとき、前記底面シート部材２４が前記正面シート部材１２に対して直角方向に屈曲されるように、前記正面シート部材１２と前記底面シート部材２４との境界部に折曲部２２を形成したことを特徴とする。
【００１５】
また、正面シート部材１２上方部内面とスライド保持部材４０の上方部のベースシート２には面状ファスナ等の互いに係合離脱自在の係合部材４４，４６を取付けたことを特徴とする。
【００１６】
また、正面シート部材１２上方部内面の係合部材上方には把持部材４８を突設したことを特徴とする。
【考案の効果】
【００１７】
本考案のポケットによれば、ベースシートに収納部をコンパクトに格納できるとともに、使用時は、ボトルなどの立体物を収納するのに適した有底筒状の収納部を簡単にベースシート前面に形成することができる。
【００１８】
したがって、たとえばカバン等の収納体に飲料ボトルを収納携行する時にも、書類とは別個に整然と収納効率よく分離収納することができ、書類を結露により汚すこともない。また飲料ボトル取出し後はコンパクトに折り畳まれ通常の収納スペースに自在に復活させることができる。
【００１９】
同様に、衣類等にあっても飲料ボトル等の所要の物品を、ファッション性を損なうことなくむしろファッション性を高めた状態にて容易にしかもスピーディーに収納することができるとともに、取出し後もファッション性を損なうことなく、むしろ一種のファッション性を高めるためのアクセントとしての機能を発揮しつつコンパクト化することができる。
また、カバン等の収納体あるいは衣類を問わず全ての物品に本考案のポケット構造を応用し、所期の効果を達成することが可能である。
【考案を実施するための最良の形態】
【００２０】
以下に本考案の構成を添付した図面を参照して詳細に説明する。
図１において、２はベースシートであり、これの正面側に有底筒状の収納部４を形成するための収納体６が取り付けられている。ベースシート２は、カバン８，１０（図６参照）等の袋体や、上着１２やズボン１４（図７参照）等の衣類等の所望の箇所に縫着その他の手段により取り付けることができるように構成されている。
【００２１】
前記ベースシート２は、前記カバン８，１０や上着１２，ズボン１４等とは別部材によって構成しても良く、またこれらの一部の構成部分をベースシート２として使用するようにしても良い。図６（Ａ）はカバン８の内部の前方又は後方の壁面をベースシートとして使用し、図６（Ｂ）はカバン１０の内部の側部壁面をベースシートとして使用した実施形態を示している。また、図７は、衣類の表面部分をベースシート２として使用した実施形態を示している。
【００２２】
前記収納体６は、図１に示すように、矩形状の正面シート部材１２と、縦方向のラインに沿って形成されたＶ字状の折曲部１４を折り目として折り畳み自在に構成された左右の側面シート部材１６，１８と、前記正面シート部材１２と略同形の背面シート部材２０（図４参照）と、前記正面シート部材１２の下辺側に、ステッチ（針目）を施すことで直角方向に曲がる屈曲性を保有させた折曲部２２を介して一体的に形成された略正方形状の底面シート部材２４とより構成されている。この底面シート部材２４の下端は、スライドファスナー２６，２８とともにベースシート２に逢着接合されていることに加え、その下端から１ｃｍ程度上方には底面シート部材２４だけがベースシート２に逢着接合されている。この個所のステッチにより底面シート部材２４の下部は屈曲しやすくなることに加え、図１に示すごとく、スライダー３４が下げきった状態でその約１ｃｍの下方部分に位置することで、底面シート部材２４部分の開閉動作に支障を来すことなく、スムースな開閉動作が可能となるものである。
【００２３】
前記正面シート部材１２と、左右の側面シート部材１６，１８と、背面シート部材２０とは互いに図１に示すように、側辺部が縫着接合されている。前記正面シート部材１２とこれと一体的に延長方向に形成された底面シート部材２４の両側縁部は、図２に示すように、スライドファスナー２６，２８からなる留め具を介して、脱着可能に前記ベースシート２に結合している。
【００２４】
本実施形態で使用しているスライドファスナー２６，２８は、それぞれ一対のテープ（図示省略）と、各テープに設けられた噛み合い歯３０，３２と、該噛み合い歯３０，３２にスライド自在に係合するスライダー３４と、テープ下端の下止め部材（図示省略）と、テープ上端の上止め部材（図示省略）とから構成されている。
【００２５】
前記噛み合い歯３０が固着されたテープは、正面シート部材１２とこれに延設された底面シート部材２４の側縁部の全長にわたって縫着されている。前記噛み合い歯３２が固着されたテープはベースシート２側に、前記正面シート部材１２、底面シート部材２４側の噛み合い歯３０，３０と平行に対向するように配置され、該ベースシート２に縫着されている。
【００２６】
前記スライダー３４，３４を図２に示すように、上方に引き上げると、スライドファスナー２６，２８の噛み合い歯３０と３２が互いに噛み合い、正面シート部材１２と底面シート部材２４の両側部がベースシート２に結合する。該結合状態において、正面シート部材１２と底面シート部材２４は、折曲部２２の屈曲弾性に抗して、同一平面状に展開矯正され、且つ、側面シート部材１６，１８が折曲部２２を折り目として折り畳まれ、正面シート部材１２と底面シート部材２４は、図２に示すように、背面シート部材２０を介して、ベースシート２の正面に平行に密着するように構成されている。
【００２７】
尚、左右のスライダー３４，３４を図８及び図９に示すように、コ字状の金具３６や紐状部材３８からなる把手部材の両端を結合し、該把手部材を上下に操作することにより、前記スライダー３４，３４を同時に上下動させて、スライドファスナー２６，２８の開閉を片手で同時に行うことができるように構成しても良い。
【００２８】
前記収納部４には、ベルト状部材からなるスライド保持部材４０が挿入配置され、該スライド保持部材４０は、前記ベースシート２の正面に平行に配置され、その上端が、前記背面シート部材２０の上端の近傍に位置して、ベースシート２の正面側に縫着され、下端が前記底面シート部材２４の下端部とともに、前記ベースシート２に縫着されている。前記背面シート部材２０は、前記スライド保持部材４０と対接し、該スライド保持部材４０によって、前記ベースシート２に水平に当接した状態で、これに沿って上下方向にスライドできるように保持されている。
【００２９】
上記した構成において、収納部４に飲料ボトル４２などの立体物を入れない状態では、スライドファスナー２６，２８の各々の噛み合い歯３０，３２を係合し、該左右のスライドファスナー２６，２８を閉じておく。該状態において、図２に示すように、正面シート部材１２と底面シート部材２４は、同一平面状に展開され、ベースシート２の正面に平行に近接する。
【００３０】
また、正面シート部材１２と背面シート部材２０は、折曲部１４を基準として２重に折り畳まれた側面シート部材１６，１８を介して、互いに平行に密着し、薄板状を形成する。即ち、この左右のスライドファスナー２６，２８を閉じた状態では、収納部４は、その正面部分がベースシート２の正面から突出せず、ベースシート２の正面の略同一平面内に、薄板状に格納配置される。
【００３１】
収納部４に飲料ボトル４２などの立体物を入れる場合は、左右のスライドファスナー２６，２８の各々のスライダー３４を、上端位置から最下端まで引き下げ、左右のスライドファスナー２６，２８を開く。これにより、正面シート部材１２と底面シート部材２４の両側部は、左右のスライドファスナー２６，２８を介した、ベースシート２との結合から解放され、正面シート部材１２は、ベースシート２に対して、突出する方向に平行移動可能な状態と成る。
【００３２】
該状態において、手操作で、収納部４の上端開口部を広げ、ボトル４２を、該開口部から、収納部４内に挿入し、ボトル４２を収納部４の奥に押し込むと、側面シート部材１６，１８は、このボトル４２の表面からの圧力によって、屈折折り畳み状態から折曲部１４の屈折方向の弾性に抗して、ベースシート２正面に対して矢方向Ｃ（図１参照）で示す直角突出方向に伸び、収納部４内は、ボトル４２の表面形状に倣って、略ボックス状に大きく膨らむ。
【００３３】
このとき、収納部４内のボトル４２の自重あるいは手操作による押し下げ力により、ボトル４２が、底面シート部材２４に押し付けられると、該底面シート部材２４は、ボトル４２からの圧力により、ベースシート２の正面に対して、直角突出方向に、その下端を中心として、ボトル４２の底部を支える方向Ａ（図１参照）に屈曲する。
【００３４】
この底面シート部材２４のベースシート２正面に対する直角方向Ａの屈曲変位に伴い、背面シート部材２０は、スライド保持部材４０に案内され、ベースシート２の正面に沿って、図１中、矢方向Ｂで示す、下方向にスライドするとともに、正面シート部材１２は矢方向Ｄに移動する。背面シート部材２０は、その下端が、底面シート部材２４のベースシート２に対する縫着部の近傍に達したところで、スライド保持部材４０により係止される。
【００３５】
底面シート部材２４が、ベースシート２の正面に対して、直角方向に屈折した状態において、正面シート部材１２は、ベースシート２の正面に対して、底面シート部材２４の両側辺の長さ分、直角方向に突出し、該突出状態において、ベースシート２の正面には、該ベースシート２に対して、直角方向に伸びる底面シート部材２４と、折曲部１４が略平面状に伸びた側面シート部材１６，１８と、前後に平行に対向する背面シート部材２０と正面シート部材１２とで囲まれた、ボックス状の有底の収納部４が形成される。
【００３６】
前記収納部４から、ボトル４２などの立体物を取り出し、収納部４の中が空になったときは、左右のスライドファスナー２６，２８のスライダー３４をその下端位置から、上端位置まで引き上げる。
【００３７】
これにより、側面シート部材１６，１８は、その折曲部１４を境として、自動的に折り畳まれるとともに、底面シート部材２４の、ベースシート２に対して平行に近接する方向の変位に伴い、背面シート部材２０は、スライド保持部材４０に案内されて自動的に上昇し、正面シート部材１２と底面シート部材２４は、同一平面状に展開した状態で、ベースシート２の正面に略平行に近接配置される。なお、本実施形態では、ベースシート２や収納体６を保形性のあるやや硬い材質の薄板状の布部材により構成したが、特に本案ポケットの構成材料は布に限定されるものではなく、合成樹脂シートその他の同効材を使用することができる。
【００３８】
図１０（Ａ）及び（Ｂ）は、本考案のポケットの他の実施形態を示しており、正面シート部材１２の上方部内面と、スライド保持部材４０の上方部のベースシート２に、面状ファスナ等の係合離脱自在の係合部材４４，４６を取り付け、さらに正面シート部材１２の上方部内面の係合部材４４の上方には、係合部材４４，４６を係合離脱する際の手掛かりとなる把持部材４８を突設したもので、それ以外の構成については上述した実施例と同様である。
【図面の簡単な説明】
【００３９】
【図１】本考案のポケットを示す外観図である。
【図２】本考案のポケットを示す外観図である。
【図３】本考案のポケットを示す外観図である。
【図４】本考案に係るポケットの収納部を示し、（Ａ）は突出状態の平面図、（Ｂ）は折り畳んだ状態の平面図である。
【図５】本考案に係るポケットの収納部を示し、（Ａ）は突出状態の側面図、（Ｂ）は折り畳んだ状態の側面図である。
【図６】本考案のポケットの説明図である。
【図７】本考案のポケットの説明図である。
【図８】本考案のポケットの他の実施形態を示す外観図である。
【図９】本考案のポケットの他の実施形態を示す外観図である。
【図１０】本考案のポケットの他の実施形態を示し、（Ａ）は突出状態の側面図、（Ｂ）は折り畳んだ状態の側面図である。
【符号の説明】
【００４０】
２  ベースシート
４  収納部
６  収納体
８  カバン
１０  カバン
１２  正面シート部材
１４  折曲部
１６  側面シート部材
１８  側面シート部材
２０  背面シート部材
２２  折曲部
２４  底面シート部材
２６  スライドファスナー
２８  スライドファスナー
３０  噛み合い歯
３２  噛み合い歯
３４  スライダー
３６  金具
３８  紐状部材
４０  スライド保持部材
４２  飲料ボトル
４４  係合部材
４６  係合部材
４８  把持部材
【図１】
0003119343.tif 000003
【図２】
0003119343.tif 000004
【図３】
0003119343.tif 000005
【図４】
0003119343.tif 000006
【図５】
0003119343.tif 000007
【図６】
0003119343.tif 000008
【図７】
0003119343.tif 000009
【図８】
0003119343.tif 000010
【図９】
0003119343.tif 000011
【図１０】
0003119343.tif 000012